【手続補正書】
【提出日】平成18年11月8日(2006.11.8)
【手続補正１】
【補正対象書類名】明細書
【補正対象項目名】特許請求の範囲
【補正方法】変更
【補正の内容】
【特許請求の範囲】
【請求項１】  複数のジョブ処理装置がネットワーク上に接続されたログ管理システムであって、
前記複数のジョブ処理装置で処理されたジョブの結果であるログ情報を管理する管理手段と、前記ログ情報を能動的に登録する登録手段とを有するログ管理装置を前記ネットワーク上に備えたことを特徴とするログ管理システム。
【請求項２】  前記複数のジョブ処理装置とは、画像形成装置、画像読取装置、画像通信装置を含むデバイスとしてのジョブ処理装置、文書配信機能を有する配信サーバとしてのジョブ処理装置を含むことを特徴とする請求項１記載のログ管理システム。
【請求項３】  前記ログ管理装置に対する前記ログ情報の登録形態は、前記デバイスから直接前記ログ管理装置に前記ログ情報を登録する形態、前記配信サーバから直接前記ログ管理装置に前記ログ情報を登録する形態、前記デバイスから仲介装置を介して前記ログ管理装置に前記ログ情報を登録する形態を含むことを特徴とする請求項１又は２記載のログ管理システム。
【請求項４】  前記ログ管理装置の前記登録手段は、前記ログ情報を一定の件数単位にまとめてから登録することを特徴とする請求項１記載のログ管理システム。
【請求項５】  前記仲介装置とは、前記ログ情報を管理し、外部へのデータ転送機能を有する前記デバイスから前記ログ情報を収集し、前記ログ管理装置に前記ログ情報を登録するログ収集エージェント装置であることを特徴とする請求項３記載のログ管理システム。
【請求項６】  前記ログ管理装置の前記管理手段は、前記デバイス単位或いはユーザ単位或いはそれらをグループ化した単位を含む部門単位にプリント枚数・スキャン回数・通信時間を含むログ情報を管理することを特徴とする請求項１又は２記載のログ管理システム。
【請求項７】  複数のジョブ処理装置と共にネットワーク上に接続されるログ管理装置であって、
前記複数のジョブ処理装置で処理されたジョブの結果であるログ情報を管理する管理手段と、前記ログ情報を能動的に登録する登録手段とを有することを特徴とするログ管理装置。
【請求項８】  前記複数のジョブ処理装置とは、画像形成装置、画像読取装置、画像通信装置を含むデバイスとしてのジョブ処理装置、文書配信機能を有する配信サーバとしてのジョブ処理装置を含むことを特徴とする請求項７記載のログ管理装置。
【請求項９】  前記ログ情報の登録形態は、前記デバイスから直接ログ管理装置内に前記ログ情報を登録する形態、前記配信サーバから直接ログ管理装置内に前記ログ情報を登録する形態、前記デバイスから仲介装置を介してログ管理装置内に前記ログ情報を登録する形態を含むことを特徴とする請求項７又は８記載のログ管理装置。
【請求項１０】  前記登録手段は、前記ログ情報を一定の件数単位にまとめてから登録することを特徴とする請求項７記載のログ管理装置。
【請求項１１】  前記仲介装置とは、前記ログ情報を管理し、外部へのデータ転送機能を有する前記デバイスから前記ログ情報を収集し、ログ管理装置内に前記ログ情報を登録するログ収集エージェントであることを特徴とする請求項９記載のログ管理装置。
【請求項１２】  前記管理手段は、前記デバイス単位或いはユーザ単位或いはそれらをグループ化した単位を含む部門単位にプリント枚数・スキャン回数・通信時間を含むログ情報を管理することを特徴とする請求項７又は８記載のログ管理装置。
【請求項１３】  複数のジョブ処理装置とログ管理装置とをネットワーク上に備えたログ管理システムに適用されるログ管理方法であって、
前記ログ管理装置は、前記複数のジョブ処理装置で処理されたジョブの結果であるログ情報を管理し、前記ログ情報を能動的に登録することを特徴とするログ管理方法。
【請求項１４】  前記複数のジョブ処理装置とは、画像形成装置、画像読取装置、画像通信装置を含むデバイスとしてのジョブ処理装置、文書配信機能を有する配信サーバとしてのジョブ処理装置を含むことを特徴とする請求項１３記載のログ管理方法。
【請求項１５】  前記ログ管理装置に対する前記ログ情報の登録形態は、前記デバイスから直接前記ログ管理装置に前記ログ情報を登録する形態、前記配信サーバから直接前記ログ管理装置に前記ログ情報を登録する形態、前記デバイスから仲介装置を介して前記ログ管理装置に前記ログ情報を登録する形態を含むことを特徴とする請求項１３又は１４記載のログ管理方法。
【請求項１６】  前記ログ管理装置は、前記ログ情報を一定の件数単位にまとめてから登録することを特徴とする請求項１３記載のログ管理方法。
【請求項１７】  前記仲介装置としてのログ収集エージェント装置により、前記ログ情報を管理し、外部へのデータ転送機能を有する前記デバイスから前記ログ情報を収集し、前記ログ管理装置に前記ログ情報を登録することを特徴とする請求項１５記載のログ管理方法。
【請求項１８】  前記ログ管理装置は、前記デバイス単位或いはユーザ単位或いはそれらをグループ化した単位を含む部門単位にプリント枚数・スキャン回数・通信時間を含むログ情報を管理することを特徴とする請求項１３又は１４記載のログ管理方法。
【請求項１９】  複数のジョブ処理装置とログ管理装置とをネットワーク上に備えたログ管理システムに適用されるログ管理方法を実行するプログラムを記憶したコンピュータにより読み出し可能な記憶媒体であって、
前記ログ管理方法は、前記複数のジョブ処理装置で処理されたジョブの結果であるログ情報を管理する管理ステップと、前記ログ情報を能動的に登録する登録ステップとを有することを特徴とする記憶媒体。
【請求項２０】  前記複数のジョブ処理装置とは、画像形成装置、画像読取装置、画像通信装置を含むデバイスとしてのジョブ処理装置、文書配信機能を有する配信サーバとしてのジョブ処理装置を含むことを特徴とする請求項１９記載の記憶媒体。
【請求項２１】  前記ログ管理装置に対する前記ログ情報の登録形態は、前記デバイスから直接前記ログ管理装置に前記ログ情報を登録する形態、前記配信サーバから直接前記ログ管理装置に前記ログ情報を登録する形態、前記デバイスから仲介装置を介して前記ログ管理装置に前記ログ情報を登録する形態を含むことを特徴とする請求項１９又は２０記載の記憶媒体。
【請求項２２】  前記登録ステップでは、前記ログ情報を一定の件数単位にまとめてから登録することを特徴とする請求項１９記載の記憶媒体。
【請求項２３】  前記ログ情報を管理し、外部へのデータ転送機能を有する前記デバイスから前記ログ情報を収集し、前記ログ管理装置に前記ログ情報を登録するログ収集登録ステップを有することを特徴とする請求項１９乃至２１の何れかに記載の記憶媒体。
【請求項２４】  前記管理ステップでは、前記デバイス単位或いはユーザ単位或いはそれらをグループ化した単位を含む部門単位にプリント枚数・スキャン回数・通信時間を含むログ情報を管理することを特徴とする請求項２０記載の記憶媒体。
【手続補正２】
【補正対象書類名】明細書
【補正対象項目名】０００６
【補正方法】変更
【補正の内容】
【０００６】
上記目的を達成するため、請求項２記載の発明は、前記複数のジョブ処理装置とは、画像形成装置、画像読取装置、画像通信装置を含むデバイスとしてのジョブ処理装置、文書配信機能を有する配信サーバとしてのジョブ処理装置を含むことを特徴とする。
【手続補正３】
【補正対象書類名】明細書
【補正対象項目名】００１０
【補正方法】変更
【補正の内容】
【００１０】
上記目的を達成するため、請求項６記載の発明は、前記ログ管理装置の前記管理手段は、前記デバイス単位或いはユーザ単位或いはそれらをグループ化した単位を含む部門単位にプリント枚数・スキャン回数・通信時間を含むログ情報を管理することを特徴とする。
【手続補正４】
【補正対象書類名】明細書
【補正対象項目名】００１２
【補正方法】変更
【補正の内容】
【００１２】
上記目的を達成するため、請求項８記載の発明は、前記複数のジョブ処理装置とは、画像形成装置、画像読取装置、画像通信装置を含むデバイスとしてのジョブ処理装置、文書配信機能を有する配信サーバとしてのジョブ処理装置を含むことを特徴とする。
【手続補正５】
【補正対象書類名】明細書
【補正対象項目名】００１６
【補正方法】変更
【補正の内容】
【００１６】
上記目的を達成するため、請求項１２記載の発明は、前記管理手段は、前記デバイス単位或いはユーザ単位或いはそれらをグループ化した単位を含む部門単位にプリント枚数・スキャン回数・通信時間を含むログ情報を管理することを特徴とする。
【手続補正６】
【補正対象書類名】明細書
【補正対象項目名】００１８
【補正方法】変更
【補正の内容】
【００１８】
上記目的を達成するため、請求項１４記載の発明は、前記複数のジョブ処理装置とは、画像形成装置、画像読取装置、画像通信装置を含むデバイスとしてのジョブ処理装置、文書配信機能を有する配信サーバとしてのジョブ処理装置を含むことを特徴とする。
【手続補正７】
【補正対象書類名】明細書
【補正対象項目名】００２２
【補正方法】変更
【補正の内容】
【００２２】
上記目的を達成するため、請求項１８記載の発明は、前記ログ管理装置は、前記デバイス単位或いはユーザ単位或いはそれらをグループ化した単位を含む部門単位にプリント枚数・スキャン回数・通信時間を含むログ情報を管理することを特徴とする。
【手続補正８】
【補正対象書類名】明細書
【補正対象項目名】００２４
【補正方法】変更
【補正の内容】
【００２４】
上記目的を達成するため、請求項２０記載の発明は、前記複数のジョブ処理装置とは、画像形成装置、画像読取装置、画像通信装置を含むデバイスとしてのジョブ処理装置、文書配信機能を有する配信サーバとしてのジョブ処理装置を含むことを特徴とする。
【手続補正９】
【補正対象書類名】明細書
【補正対象項目名】００２８
【補正方法】変更
【補正の内容】
【００２８】
上記目的を達成するため、請求項２４記載の発明は、前記管理ステップでは、前記デバイス単位或いはユーザ単位或いはそれらをグループ化した単位を含む部門単位にプリント枚数・スキャン回数・通信時間を含むログ情報を管理することを特徴とする。